(57)【要約】      （修正有）【課題】電子ピアノ等の電子楽器において、フットペダルの位置を、鍵盤楽器の前後方向のみならず、上下方向の移動も可能にし、演奏者が幼児の場合でも、無理のない姿勢で演奏ができる装置を提供する。。【解決手段】楽器本体と床面間にフレーム１を配設し、上部当金３およびリフトねじ４からなる機構によって係止する。付加ペダル５はピン２ｂの差込位置によって高さが調整でき、演奏者の最適な操作位置に設定する。演奏は、付加ペダルを踏み込むことにより連結ブロック６，７，８を介して本体ペダルを作動させるが、二つの異なる回転軸による力点および作用点のずれは付加ペダルの底面に設けたスライド面で作用点が自由に移動することで解決している。【選択図】図１
0003174528.tif 000002
【実用新案登録請求の範囲】
【請求項１】
複数のピン穴を有したフレームと、複数に分割した連結ブロックを組み合わせたことを特徴とする、ペダル付加装置。
【請求項２】
ペダル間の連結ブロックは、ブロックの垂直軸に対し、斜めに配置したダボおよびダボ穴を有していることを特徴とする請求項１記載のペダル付加装置。
【考案の詳細な説明】
【技術分野】
【０００１】  この考案は、電子ピアノや電子オルガン等の鍵盤楽器に用いられるフットペダル装置に関する。
【背景技術】
【０００２】  従来、電子ピアノなどの鍵盤楽器のペダルは、楽器本体の下部の位置に設置されている。演奏者は、演奏する際、楽器に向かって正面に座り、ペダルを踏むことによってペダル効果を得る。【０００３】  電子ピアノなどの、フットペダル操作を補助する装置としては、特許文献１に開示されているように、鍵盤楽器の本体ペダルに、前後方向に移動可能な装置を付加した構造のものが知られている。【０００４】  しかしながら、幼児などが演奏する場合は、ペダルに足が届かないおそれがある。そのため演奏者に無理な姿勢を強いることになり、安定したペダル操作を難しくしていた。別方式として、楽器本体とは別体の移動可能なペダルを用いることも知られている。しかし、この場合もペダルを床面上、水平移動させることは可能であるが、高さ方向の調整は困難であり、ペダルに足が届かない問題を解決するには至らない。
【先行技術文献】
【０００５】
【特許文献１】特願２００６−２２０８６１（Ｐ２００６−２２０８６１）
【考案の概要】
【考案が解決しようとする課題】
【０００６】  特許文献１の発明が、解決しようとする課題は、楽器全体の外観を損なうことなく、鍵盤楽器の前後方向へのフットペダル部の移動距離を十分に確保することができるフットペダル装置を提供することである。
しかしながら、このような従来のフットペダル装置では、鍵盤楽器の両側板間に固定されたペダル保持部材に、ペダルを取り付けたペダルボックスを、鍵盤楽器の前後に移動するスライド機構を介してとりつけた構造であり、フットペダルの位置調整は、前後方向に限られる。また、構造上、使用者が後付で設置するには困難な面がある。【０００７】  本考案が解決しようとする課題は、フットペダルの位置を、鍵盤楽器の前後方向のみならず、上下方向の移動も可能にし、演奏者が幼児の場合でも、無理のない姿勢で演奏ができる装置を提供するものである。【０００８】  使用者が、楽器本体のメーカー機種を問わず、後付で容易に嵌脱出来ることを目的としている。
【課題を解決するための手段】
【０００９】  本考案は、この目的を達成するために、図１で示す構成要素を備えている。楽器本体に係止する機構と、ペダル操作位置が、調整出来、本体ペダルと係合する付加ペダルを有していることを特徴とする。
なお、各構成要素には、後述する実施形態の項で各要素に付されている図面の、参照番号などを括弧と共に付す。【００１０】  フレームの係止は、図５に示すように、楽器本体下部（１５）と設置床面間にフレームを配設し、上部当金（３）とリフトねじ（４）によって行う。
付加ペダルと本体ペダルは、図１に示す連結ブロック（６）（７）（８）によって係合され、当該ブロックは、複数のコマによって構成されている。付加ペダルの位置は、演奏者の体格に合わせ、ペダル操作に最も適した位置に配設する。配設位置は、ブロックの増減と、付加ペダル保持ピンの位置を選択することで行う。【００１１】  ポータブルペダルを使用する場合を図２に示す。当該ペダルは下部当金（９）と床面間に挟まれ、楽器本体に係止される。付加ペダル位置の調整は、前述のとおりである。演奏者は、楽器本体に固定したペダルを使用するため、安定したペダル操作が出来る。【００１２】  ３ペダル式の場合を図３に示す。本体ペダルの上に、連結ブロックを搭載する。
本体ペダルの上方空間を使っているため、既設ペダルと設置床面の間隙が狭い場合でも容易に設置できる。
【考案の効果】  上述の様に、本考案によれば、演奏者は自分の体格に合わせ、ペダル位置をペダル操作に適した位置に調整することが出来、安定したペダル操作が可能となる。
設置および撤去は、使用者が容易に行えることを特徴としている。
【図面の簡単な説明】
【図１】本考案のペダル付加装置の斜視図
【図２】本考案品を電子楽器の移動式ペダルに装着した図
【図３】本考案品を３ペダル式ピアノに装着した図
【図４】請求項２の解説図
【図５】本考案のペダル付加装置を具備した、電子ピアノの斜視図
【考案を実施するための形態】
【００１３】  以下、本考案の実施形態を説明する。
図５は、本実施形態のペダル付加装置１を具備した、電子ピアノの一例を示す。
フレームは、複数のピン穴があり、ピン穴の選択によって、付加ペダルを任意の位置に係止できる。フレーム上部にリフト体が配設しており、当該リフト体の伸縮によって、楽器本体に係脱する。
【００１４】  付加ペダルと本体ペダルは、連結ブロックを介してして係合しているため、付加ペダルの操作が本体ペダルに伝わり演奏効果が出る。
【００１５】  連結ブロックは、アッパーブロック６，高さ調整ブロック７、アンダーブロック８を配設しており、各ブロック嵌脱する。また、アッパーブロック６、付加ペダル５は摺接している。
【実施例】
【００１６】  以下、添付図面に従って一実施例を説明する。
図１は、本考案の実施形態を示す斜視図である。フレーム１は、リフトねじ４の回転により、上部金具３が上下し、フレームを楽器下面に係止する。付加ペダル５は、支持ピン２ａを、フレームのピン穴２ｂに挿着することで高さが決定する【００１７】  付加ペダル５と本体ペダル１０（１１）は、連結ブロック６，７，８によって係合される。ブロック７は分割した複数のブロックで構成し、使用ブロックの増減によって高さ調整が可能となる。【００１８】  ペダル操作によって付加ペダル、本体ペダルとも回転運動をする。しかし、個々に異なる回転軸を持っており、各ペダル加わる力点、作用点は移動する。
これによって生じる歪みを付加ペダル５の下面に掘られた溝をアッパーブロック６が摺接することで吸収している。【００１９】  ブロック間は、ダボとダボ穴の挿嵌によって連結している。付加ペダルの操作によってブロックに加わる力は、ブロックを浮き上がらせる力として作用するが、ダボおよびダボ穴をブロックの垂線に対し、斜倒することで防止している。
【符号の説明】
【００２０】１    フレーム
２ａ  ペダル高さ調整ピン
２ｂ  調整ピン穴
３    上部当金
４    リフトねじ
５    付加ペダル
６    アッパーブロック
７    高さ調整ブロック
８    アンダーブロック
９    下部当金
１０  本体ペダル（移動式）
１１  本体ペダル（３ペダル式）
１２  ダボ
１３  ダボ穴
１４  楽器本体電子ピアノ
１５  楽器本体下部
【図１】
0003174528.tif 000003
【図２】
0003174528.tif 000004
【図３】
0003174528.tif 000005
【図４】
0003174528.tif 000006
【図５】
0003174528.tif 000007
【手続補正書】
【提出日】平成23年12月28日(2011.12.28)
【手続補正１】
【補正対象書類名】実用新案登録請求の範囲
【補正対象項目名】全文
【補正方法】変更
【補正の内容】
【実用新案登録請求の範囲】
【請求項１】
楽器本体に止着する装置を設けたフレームに、位置調整が可能な付加ペダルを設置し、当該付加ペダルの動きを、連結ブロックを介し、本体ペダルに伝達する事を特徴とするペダル付加装置。
【請求項２】
連結ブロックは、ブロックの垂直軸に対し、斜めに配置したダボおよびダボ穴を有していることを特徴とする、請求項１記載のペダル付加装置。